(57)【特許請求の範囲】
【請求項１】
交流発電機から出力される電力を用いて、負荷に電力を供給するスイッチング電源であって、
前記交流発電機の出力電力を整流する整流手段と、
前記整流手段と前記負荷とを断続する第１スイッチ素子と、
前記第１スイッチ素子と前記負荷との間に設けられたインダクタと、
前記インダクタの出力端と基準電位点とを断続する第２スイッチ素子と、
前記第１スイッチ素子および前記第２スイッチ素子を制御する制御手段と、を備え、
前記制御手段は、前記交流発電機の出力電圧が予め定められた電圧以上になると、前記第１スイッチ素子を間欠発振動作させるとともに、前記第２スイッチ素子をオン状態にすることを特徴とするスイッチング電源。
【請求項２】
交流発電機から出力される電力を用いて、負荷に電力を供給するスイッチング電源であって、
前記交流発電機の出力電力を整流する整流手段と、
前記整流手段と前記負荷とを断続する第１スイッチ素子と、
前記第１スイッチ素子と前記負荷との間に設けられたインダクタと、
前記インダクタの出力端と基準電位点とを断続する第２スイッチ素子と、
前記第１スイッチ素子および前記第２スイッチ素子を制御する制御手段と、を備え、
前記制御手段は、前記負荷が軽負荷状態であることを示す信号を当該負荷から受信している状態になると、前記第１スイッチ素子を間欠発振動作させるとともに、前記第２スイッチ素子をオン状態にすることを特徴とするスイッチング電源。
【発明の詳細な説明】
【技術分野】
【０００１】
本発明は、スイッチング電源に関する。
【背景技術】
【０００２】
従来より、交流発電機から出力される電力を用いて負荷に電力を供給するスイッチング電源（例えば、特許文献１参照）がある。
【０００３】
［スイッチング電源１００の構成］
図４は、第１の従来例に係るスイッチング電源１００の回路図である。スイッチング電源１００は、三相交流発電機２００から出力される電力を用いて、出力端子ＯＵＴ１を介して負荷（図示省略）に電力を供給する。このスイッチング電源１００は、ダイオードＤ１、Ｄ２、Ｄ３、Ｄ４、Ｄ５、Ｄ６、Ｄ７、Ｄ８と、キャパシタＣ１、Ｃ２と、ＮチャネルＭＯＳＦＥＴで構成されるスイッチ素子Ｑ１、Ｑ２と、インダクタＬと、制御部１１０と、を備える。
【０００４】
ダイオードＤ１〜Ｄ６は、整流回路を構成し、三相交流発電機２００から出力される電力を整流する。具体的には、ダイオードＤ１のアノードと、ダイオードＤ４のカソードとには、三相交流発電機２００の第１の出力端子が接続される。ダイオードＤ２のアノードと、ダイオードＤ５のカソードとには、三相交流発電機２００の第２の出力端子が接続される。ダイオードＤ３のアノードと、ダイオードＤ６のカソードとには、三相交流発電機２００の第３の出力端子が接続される。
【０００５】
ダイオードＤ４〜Ｄ６のそれぞれのアノードには、出力端子ＯＵＴ２が接続される。この出力端子ＯＵＴ２には、負荷（図示省略）の基準電位点が接続される。
【０００６】
ダイオードＤ１〜Ｄ３のそれぞれのカソードには、キャパシタＣ１の一方の電極と、スイッチ素子Ｑ１のドレインと、が接続される。キャパシタＣ１の他方の電極には、出力端子ＯＵＴ２が接続される。
【０００７】
スイッチ素子Ｑ１、Ｑ２と、ダイオードＤ７、Ｄ８と、インダクタＬと、キャパシタＣ２とは、いわゆる昇降圧チョッパ回路を構成する。具体的には、スイッチ素子Ｑ１のソースには、ダイオードＤ７のカソードと、インダクタＬの一端と、が接続される。インダクタＬの他端には、ダイオードＤ８のアノードと、スイッチ素子Ｑ２のドレインと、が接続される。ダイオードＤ８のカソードには、キャパシタＣ２の一方の電極と、出力端子ＯＵＴ１と、が接続される。ダイオードＤ７のアノードと、スイッチ素子Ｑ２のソースと、キャパシタＣ２の他方の電極とには、出力端子ＯＵＴ２が接続される。スイッチ素子Ｑ１、Ｑ２のそれぞれのゲートには、制御部１１０が接続される。
【０００８】
［スイッチング電源１００の動作］
以上の構成を備えるスイッチング電源１００は、三相交流発電機２００から出力される電力を、ダイオードＤ１〜Ｄ６により整流し、キャパシタＣ１により平滑する。そして、制御部１１０によりスイッチ素子Ｑ１、Ｑ２を制御して、出力端子ＯＵＴ１から出力される電圧を制御する。
【０００９】
ここで、例えば負荷が軽負荷になると、三相交流発電機２００の出力電圧が上昇し、出力端子ＯＵＴ１から過大な電圧が出力されてしまうおそれがある。そこで、スイッチング電源１００は、出力端子ＯＵＴ１から過大な電圧が出力されるのを防止するために、三相交流発電機２００の出力電圧が予め定められた閾値電圧以上になると、制御部１１０によりスイッチ素子Ｑ１をオフ状態にする。これによれば、三相交流発電機２００と出力端子ＯＵＴ１とが電気的に切断されるので、出力端子ＯＵＴ１から過大な電圧が出力されるのを防止できる。
【００１０】
［スイッチング電源１００Ａの構成］
図５は、第２の従来例に係るスイッチング電源１００Ａの回路図である。スイッチング電源１００Ａは、図４に示した第１の従来例に係るスイッチング電源１００とは、ダイオードＤ４〜Ｄ６の代わりにＮチャネルＭＯＳＦＥＴで構成されるスイッチ素子Ｑ３、Ｑ４、Ｑ５を備える点と、駆動部１２０を備える点と、が異なる。なお、スイッチング電源１００Ａにおいて、スイッチング電源１００と同一構成要件については、同一符号を付し、その説明を省略する。
【００１１】
スイッチ素子Ｑ３のドレインには、ダイオードＤ１のアノードと、三相交流発電機２００の第１の出力端子と、が接続される。スイッチ素子Ｑ４のドレインには、ダイオードＤ２のアノードと、三相交流発電機２００の第２の出力端子と、が接続される。スイッチ素子Ｑ５のドレインには、ダイオードＤ３のアノードと、三相交流発電機２００の第３の出力端子と、が接続される。スイッチ素子Ｑ３〜Ｑ５のそれぞれのソースには、出力端子ＯＵＴ２が接続される。スイッチ素子Ｑ３〜Ｑ５のそれぞれのゲートには、駆動部１２０が接続される。
【００１２】
［スイッチング電源１００Ａの動作］
以上の構成を備えるスイッチング電源１００Ａは、スイッチング電源１００と同様に、制御部１１０によりスイッチ素子Ｑ１、Ｑ２を制御して、出力端子ＯＵＴ１から出力される電圧を制御する。ただし、スイッチング電源１００Ａは、スイッチング電源１００とは、三相交流発電機２００から出力される電力を、ダイオードＤ１〜Ｄ３とスイッチ素子Ｑ３〜Ｑ５と駆動部１２０とにより整流する点が、異なる。
【００１３】
このスイッチング電源１００Ａは、出力端子ＯＵＴ１から過大な電圧が出力されるのを防止するために、三相交流発電機２００の出力電圧が予め定められた閾値電圧以上になると、駆動部１２０によりスイッチ素子Ｑ３〜Ｑ５をそれぞれオン状態にする。これによれば、三相交流発電機２００の第１の出力端子と第２の出力端子と第３の出力端子とが、基準電位点と導通することになるので、出力端子ＯＵＴ１から過大な電圧が出力されるのを防止できる。
【００１４】
［スイッチング電源１００Ｂの構成］
図６は、第３の従来例に係るスイッチング電源１００Ｂの回路図である。スイッチング電源１００Ｂは、図４に示した第１の従来例に係るスイッチング電源１００とは、ツェナーダイオードＤＺを備える点が異なる。なお、スイッチング電源１００Ｂにおいて、スイッチング電源１００と同一構成要件については、同一符号を付し、その説明を省略する。
【００１５】
ツェナーダイオードＤＺのカソードには、ダイオードＤ１〜Ｄ３のそれぞれのカソードが接続される。ツェナーダイオードＤＺのアノードには、出力端子ＯＵＴ２が接続される。
【００１６】
［スイッチング電源１００Ｂの動作］
以上の構成を備えるスイッチング電源１００Ｂは、スイッチング電源１００と同様に、三相交流発電機２００から出力される電力を、ダイオードＤ１〜Ｄ６により整流し、キャパシタＣ１により平滑するとともに、制御部１１０によりスイッチ素子Ｑ１、Ｑ２を制御して、出力端子ＯＵＴ１から出力される電圧を制御する。
【００１７】
このスイッチング電源１００Ｂは、出力端子ＯＵＴ１から過大な電圧が出力されるのを、ツェナーダイオードＤＺをオン状態にすることで防止する。具体的には、三相交流発電機２００の出力電圧が予め定められた閾値電圧に等しい場合に、この出力電圧をダイオードＤ１〜Ｄ６により整流したものを、特定電圧と呼ぶこととする。そして、ツェナーダイオードＤＺとして、ツェナー電圧が特定電圧に等しいツェナーダイオードを用いることとする。すると、三相交流発電機２００の出力電圧が上述の閾値電圧以上になると、ツェナーダイオードＤＺがオン状態となる。これによれば、三相交流発電機２００の出力電圧が上述の閾値電圧より上昇してしまうのを抑制できるので、出力端子ＯＵＴ１から過大な電圧が出力されるのを防止できる。
【先行技術文献】
【特許文献】
【００１８】
【特許文献１】特開２００３−２４４８６４号公報
【発明の概要】
【発明が解決しようとする課題】
【００１９】
図７は、三相交流発電機２００の電圧電流特性を示す図である。図７において、縦軸は、三相交流発電機２００の出力電圧を示し、横軸は、三相交流発電機２００の出力電流を示す。
【００２０】
図７に示すように、三相交流発電機２００は、出力電流が増加するに従って出力電圧が低下するという電圧電流特性を有しており、この電圧電流特性は、三相交流発電機２００の回転数に応じて変化する。
【００２１】
上述のスイッチング電源１００は、出力端子ＯＵＴ１から過大な電圧が出力されるのを防止するために、三相交流発電機２００の出力電圧が上述の閾値電圧以上になると、制御部１１０によりスイッチ素子Ｑ１をオフ状態にする。ところが、スイッチ素子Ｑ１をオフ状態にすると、三相交流発電機２００とスイッチ素子Ｑ１との間に電流が流れなくなるので、三相交流発電機２００の出力電流が「０」になる。すると、図７の領域Ｘに示すように、三相交流発電機２００の出力電圧が高くなり、ダイオードＤ１〜Ｄ６や、キャパシタＣ１や、スイッチ素子Ｑ１のドレインに、高電圧が印加されることとなる。このため、ダイオードＤ１〜Ｄ６と、キャパシタＣ１と、スイッチ素子Ｑ１と、を高耐圧の素子で構成しなくてはならなかった。
【００２２】
一方、上述のスイッチング電源１００Ａは、出力端子ＯＵＴ１から過大な電圧が出力されるのを防止するために、三相交流発電機２００の出力電圧が上述の閾値電圧以上になると、駆動部１２０によりスイッチ素子Ｑ３〜Ｑ５をそれぞれオン状態にする。ところが、スイッチ素子Ｑ３〜Ｑ５をそれぞれオン状態にすると、三相交流発電機２００の第１の出力端子と第２の出力端子と第３の出力端子とが、基準電位点と導通することになるので、三相交流発電機２００の出力電圧が「０」になる。すると、図７の領域Ｙに示すように、三相交流発電機２００の出力電流が大きくなり、スイッチ素子Ｑ３〜Ｑ５のそれぞれに大電流が流れることとなる。このため、スイッチ素子Ｑ３〜Ｑ５のそれぞれを定格電流の大きい素子で構成しなくてはならなかった。また、スイッチング電源１００と比べると、駆動部１２０を新たに設ける必要があり、部品数が増加してしまっていた。
【００２３】
また、上述のスイッチング電源１００Ｂは、出力端子ＯＵＴ１から過大な電圧が出力されるのを、ツェナーダイオードＤＺをオン状態にすることで防止する。ところが、スイッチング電源１００と比べると、ツェナーダイオードＤＺを新たに設ける必要があり、部品数が増加してしまっていた。
【００２４】
上述の課題を鑑み、本発明は、高耐圧の素子や定格電流の大きい素子を用いたり、部品数を増加させたりすることなく、スイッチング電源の出力電圧が過大になるのを防止することを目的とする。
【課題を解決するための手段】
【００２５】
本発明は、上述の課題を解決するために、以下の事項を提案している。
（１）  本発明は、交流発電機から出力される電力を用いて、負荷に電力を供給するスイッチング電源であって、前記交流発電機の出力電力を整流する整流手段と、前記整流手段と前記負荷とを断続する第１スイッチ素子と、前記第１スイッチ素子と前記負荷との間に設けられたインダクタと、前記インダクタの出力端と基準電位点とを断続する第２スイッチ素子と、前記第１スイッチ素子および前記第２スイッチ素子を制御する制御手段と、を備え、前記制御手段は、予め定められた状態になると、前記第１スイッチ素子を間欠発振動作させるとともに、前記第２スイッチ素子をオン状態にすることを特徴とするスイッチング電源を提案している。
【００２６】
ここで、上述の三相交流発電機２００に限らず、一般的な交流発電機には、出力電流を「０」から増加させていくと、出力電流が予め定められた閾値（例えば、図２のＩ１に相当）になるまでは、出力電圧が急激に低下するという特性がある。
【００２７】
そこで、この発明によれば、予め定められた状態になると、制御手段により第１スイッチ素子を間欠発振動作させることとした。このため、予め定められた状態になると、交流発電機の出力電流が「０」よりは大きい小電流となり、交流発電機の出力電流が「０」の場合と比べて、交流発電機の出力電圧が大幅に低くなる。したがって、図５に示した駆動部１２０や図６に示したツェナーダイオードＤＺを設けることなく、すなわち部品数を増加させることなく、スイッチング電源の出力電圧が過大になるのを防止できる。
【００２８】
また、この発明によれば、上述のように交流発電機の出力電流が小電流となるので、整流手段や第１スイッチ素子といった、スイッチング電源に設けられた素子に流れる電流が、小さくなる。このため、定格電流の大きい素子を用いることなく、スイッチング電源の出力電圧が過大になるのを防止することができる。
【００２９】
また、この発明によれば、上述のように、交流発電機の出力電流が「０」の場合と比べて、交流発電機の出力電圧が大幅に低くなるので、整流手段や第１スイッチ素子といった、スイッチング電源に設けられた素子に印加される電圧が、低くなる。このため、高耐圧の素子を用いることなく、スイッチング電源の出力電圧が過大になるのを防止できる。
【００３０】
また、この発明によれば、第１スイッチ素子と負荷との間にインダクタを設けた。インダクタは、入力された電圧の波形を鈍らせる特性を有するため、インダクタから出力される電圧の波形は、第１スイッチ素子から出力される電圧の波形と比べて、鈍ることとなる。このため、インダクタから出力される電圧が急激に変化するのを抑制できるので、スイッチング電源の出力電圧が過大になるのをより確実に防止できる。
【００３１】
また、この発明によれば、インダクタの出力端と基準電位点とを断続する第２スイッチ素子を設け、予め定められた状態になると、制御手段により第２スイッチ素子をオン状態にすることとした。このため、予め定められた状態になると、インダクタから出力される電圧が基準電位点に逃がされることになるので、スイッチング電源の出力電圧が過大になるのをさらに確実に防止できる。
【００３２】
（２）  本発明は、（１）のスイッチング電源について、前記予め定められた状態とは、前記交流発電機の出力電圧が予め定められた電圧以上となる状態のことであることを特徴とするスイッチング電源を提案している。
【００３３】
この発明によれば、（１）のスイッチング電源において、交流発電機の出力電圧が予め定められた電圧以上になると、制御手段により第１スイッチ素子を間欠発振動作させることとした。このため、交流発電機の出力電圧が予め定められた電圧より上昇してしまうのを抑制でき、上述した効果と同様の効果を奏することができる。
【００３４】
（３）  本発明は、（１）のスイッチング電源について、前記予め定められた状態とは、前記負荷が軽負荷状態であることを示す信号を当該負荷から受信している状態であることを特徴とするスイッチング電源を提案している。
【００３５】
この発明によれば、（１）のスイッチング電源において、負荷が軽負荷状態になると、制御手段により第１スイッチ素子を間欠発振動作させることとした。このため、負荷が軽負荷状態になっても交流発電機の出力電圧の上昇を抑制でき、上述した効果と同様の効果を奏することができる。
【発明の効果】
【００３６】
本発明によれば、高耐圧の素子や定格電流の大きい素子を用いたり、部品数を増加させたりすることなく、スイッチング電源の出力電圧が過大になるのを防止することができる。
【図面の簡単な説明】
【００３７】
【図１】本発明の一実施形態に係るスイッチング電源の回路図である。
【図２】三相交流発電機の電圧電流特性を示す図である。
【図３】前記スイッチング電源のタイミングチャートである。
【図４】第１の従来例に係るスイッチング電源の回路図である。
【図５】第２の従来例に係るスイッチング電源の回路図である。
【図６】第３の従来例に係るスイッチング電源の回路図である。
【図７】三相交流発電機の電圧電流特性を示す図である。
【発明を実施するための形態】
【００３８】
以下、本発明の実施形態について図面を参照しながら説明する。なお、以下の実施形態における構成要素は適宜、既存の構成要素などとの置き換えが可能であり、また、他の既存の構成要素との組合せを含む様々なバリエーションが可能である。したがって、以下の実施形態の記載をもって、特許請求の範囲に記載された発明の内容を限定するものではない。
【００３９】
［スイッチング電源１の構成］
図１は、本発明の一実施形態に係るスイッチング電源１の回路図である。スイッチング電源１は、図４に示した第１の従来例に係るスイッチング電源１００とは、制御部１１０の代わりに制御手段としての制御部１０を備える点が異なる。なお、スイッチング電源１において、スイッチング電源１００と同一構成要件については、同一符号を付し、その説明を省略する。
【００４０】
制御部１０には、第１スイッチ素子としてのスイッチ素子Ｑ１のゲートと、第２スイッチ素子としてのスイッチ素子Ｑ２のゲートと、が接続される。
【００４１】
［スイッチング電源１の動作］
以上の構成を備えるスイッチング電源１は、三相交流発電機２００から出力される電力を、整流手段としての整流回路を構成するダイオードＤ１〜Ｄ６により整流し、キャパシタＣ１により平滑する。そして、制御部１０によりスイッチ素子Ｑ１、Ｑ２を制御して、出力端子ＯＵＴ１から出力される電圧を制御する。
【００４２】
制御部１０は、三相交流発電機２００の出力電圧Ｖｇｅｎを検出する。そして、出力電圧Ｖｇｅｎが予め定められた閾値電圧より低い場合には、負荷の要求に応じた電力を出力端子ＯＵＴ１から出力できるように、スイッチ素子Ｑ１、Ｑ２を制御する。
【００４３】
一方、制御部１０は、出力電圧Ｖｇｅｎが上述の閾値電圧以上である場合には、出力端子ＯＵＴ１から過大な電圧が出力されるのを防止するために、スイッチ素子Ｑ１をＰＷＭ制御により間欠発振動作させるとともに、スイッチ素子Ｑ２をオン状態にする。ここで、ＰＷＭ制御を行う際のスイッチ素子Ｑ１のオンデューティは、出力電圧Ｖｇｅｎと、インダクタＬのインダクタンスと、三相交流発電機２００の電圧電流特性と、に応じて設定される。
【００４４】
図２は、三相交流発電機２００の回転数が所定値である場合における、三相交流発電機２００の電圧電流特性を示す図である。縦軸は、三相交流発電機２００の出力電圧Ｖｇｅｎを示し、横軸は、三相交流発電機２００の出力電流Ｉｇｅｎを示す。
【００４５】
三相交流発電機２００には、出力電流Ｉｇｅｎが増加するに従って出力電圧Ｖｇｅｎが低下するという電圧電流特性がある。そして、出力電流Ｉｇｅｎが「０」から「０」に近いＩ１まで間では、出力電流Ｉｇｅｎが増加するに従って、出力電圧Ｖｇｅｎが急激に低下する。具体的には、図２に示すように、出力電流Ｉｇｅｎを「０」からＩ１まで増加させると、出力電圧ＶｇｅｎがＶ１からＶ２まで急激に低下する。
【００４６】
図３は、スイッチング電源１のタイミングチャートである。ＶＧＳＱ１は、スイッチ素子Ｑ１のゲート−ソース間電圧を示し、ＶＧＳＱ２は、スイッチ素子Ｑ２のゲート−ソース間電圧を示す。なお、本実施形態では、電圧ＶＧＳＱ１がＶＧＨの場合には、スイッチ素子Ｑ１がオン状態となり、電圧ＶＧＳＱ１がＶＧＬの場合には、スイッチ素子Ｑ１がオフ状態となるものとする。また、スイッチ素子Ｑ２についても、スイッチ素子Ｑ１と同様に、電圧ＶＧＳＱ２に応じてオンオフするものとする。
【００４７】
時刻ｔ１より前の期間では、出力電圧Ｖｇｅｎが上述の閾値電圧より高いＶ１となっており、出力端子ＯＵＴ１から過大な電圧が出力されている。また、電圧ＶＧＳＱ１、ＶＧＳＱ２のそれぞれがＶＧＬであり、スイッチ素子Ｑ１、Ｑ２がともにオフ状態となっている。また、スイッチ素子Ｑ１がオフ状態であるため、三相交流発電機２００とスイッチ素子Ｑ１との間には電流が流れておらず、出力電流Ｉｇｅｎは「０」となっている。
【００４８】
時刻ｔ１において、出力端子ＯＵＴ１から過大な電圧が出力されるのを防止する、過電圧保護動作を開始する。具体的には、上述のように、スイッチ素子Ｑ１をＰＷＭ制御により間欠発振動作させるとともに、スイッチ素子Ｑ２をオン状態にする。
【００４９】
スイッチ素子Ｑ１を間欠発振動作させると、出力電流Ｉｇｅｎは、時間が経過するに従って増加し、時刻ｔ２ではＩ１となる。一方、出力電圧Ｖｇｅｎは、図２を用いて上述した三相交流発電機２００の電圧電流特性により、時間が経過するに従って急激に低下し、時刻ｔ２ではＶ２となる。
【００５０】
スイッチ素子Ｑ１の間欠発振動作により低下した出力電圧Ｖｇｅｎは、ダイオードＤ１〜Ｄ６で整流され、キャパシタＣ１で平滑された後、インダクタＬの一端に入力される。すると、インダクタＬの他端からは、インダクタＬの一端に入力された電圧の波形を鈍らせた電圧が、出力されることとなる。インダクタＬの他端は、オン状態のスイッチ素子Ｑ２を介して基準電位点と導通しているため、インダクタの他端から出力される電圧は、出力端子ＯＵＴ１から出力されないこととなる。
【００５１】
以上のスイッチング電源１によれば、以下の効果を奏することができる。
【００５２】
スイッチング電源１は、制御部１０により、三相交流発電機２００の出力電圧Ｖｇｅｎを検出し、出力電圧Ｖｇｅｎが上述の閾値電圧以上である場合に、スイッチ素子Ｑ１をＰＷＭ制御により間欠発振動作させる。このため、三相交流発電機２００の出力電流Ｉｇｅｎが「０」より大きくなり、出力電流Ｉｇｅｎが「０」からＩ１まで増加する期間において出力電圧Ｖｇｅｎが急激に低下する。したがって、出力電流Ｉｇｅｎが「０」の場合と比べて、出力電圧Ｖｇｅｎが大幅に低くなる。よって、図５に示した駆動部１２０や図６に示したツェナーダイオードＤＺを設けることなく、すなわち部品数を増加させることなく、スイッチング電源１の出力電圧が過大になるのを防止できる。
【００５３】
また、スイッチング電源１は、出力電流Ｉｇｅｎが「０」に近いＩ１となるので、スイッチング電源１を流れる電流が小さくなる。このため、定格電流の大きい素子を用いることなく、スイッチング電源１の出力電圧が過大になるのを防止することができる。
【００５４】
また、スイッチング電源１は、出力電流Ｉｇｅｎが「０」の場合と比べて、出力電圧Ｖｇｅｎが大幅に低くなるので、ダイオードＤ１〜Ｄ６やキャパシタＣ１やスイッチ素子Ｑ１に印加される電圧が低くなる。このため、高耐圧の素子を用いることなく、スイッチング電源１の出力電圧が過大になるのを防止できる。
【００５５】
また、スイッチング電源１は、スイッチ素子Ｑ１と負荷との間にインダクタＬが設けられている。このため、インダクタＬから出力される電圧が急激に変化するのを抑制できるので、スイッチング電源１の出力電圧が過大になるのをより確実に防止できる。
【００５６】
また、スイッチング電源１は、出力電圧Ｖｇｅｎが上述の閾値電圧以上である場合に、スイッチ素子Ｑ２をオン状態にする。このため、出力電圧Ｖｇｅｎが上述の閾値電圧以上になると、インダクタＬから出力される電圧が、出力端子ＯＵＴ２を介して、負荷の基準電位点に逃がされることになるので、スイッチング電源１の出力電圧が過大になるのをさらに確実に防止できる。
【００５７】
本発明は、上述の実施形態に限定されるものではなく、この発明の要旨を逸脱しない範囲内で様々な変形や応用が可能である。
【００５８】
例えば、上述の実施形態では、スイッチング電源１に三相交流発電機２００を接続したが、これに限らず、交流発電機であれば接続することができる。
【００５９】
また、上述の実施形態では、スイッチング電源１に、整流回路および昇降圧チョッパ回路を設けたが、これに限らず、例えばフルブリッジ回路を設けてもよい。
【００６０】
また、上述の実施形態では、出力電圧Ｖｇｅｎが閾値電圧以上である場合に、スイッチ素子Ｑ１をＰＷＭ制御により間欠発振動作させるとともに、スイッチ素子Ｑ２をオン状態にすることとしたが、これに限らない。例えば、出力端子ＯＵＴ１、ＯＵＴ２に接続された負荷が軽負荷状態であることを示す信号を、この負荷から受信している場合に、スイッチ素子Ｑ１をＰＷＭ制御により間欠発振動作させるとともに、スイッチ素子Ｑ２をオン状態にしてもよい。
【００６１】
また、上述の実施形態では、出力電圧Ｖｇｅｎが上述の閾値電圧以上である場合に、出力電流ＩｇｅｎをＩ１とし、出力電圧ＶｇｅｎをＶ２とすることとしたが、これに限らない。例えば、スイッチング電源１に設けられた各素子を流れる電流が、各素子の定格電流より小さくなるとともに、各素子に印加される電圧が、各素子の耐圧より低くなるように、三相交流発電機２００の電圧電流特性を考慮しつつ、出力電流Ｉｇｅｎおよび出力電圧Ｖｇｅｎを調整すればよい。
【符号の説明】
【００６２】
１、１００、１００Ａ、１００Ｂ；スイッチング電源
１０、１１０；制御部
１２０；駆動部
２００；三相交流発電機
Ｄ１〜Ｄ８；ダイオード
ＤＺ；ツェナーダイオード
Ｌ；インダクタ
Ｑ１〜Ｑ５；スイッチ素子
【図１】
0005550437.tif 000002
【図２】
0005550437.tif 000003
【図３】
0005550437.tif 000004
【図４】
0005550437.tif 000005
【図５】
0005550437.tif 000006
【図６】
0005550437.tif 000007
【図７】
0005550437.tif 000008